【手続補正書】
【提出日】平成16年10月5日(2004.10.5)
【手続補正１】
【補正対象書類名】明細書
【補正対象項目名】特許請求の範囲
【補正方法】変更
【補正の内容】
【特許請求の範囲】
【請求項１】
光を光電変換する固体撮像素子と、
前記光を採光するための開口部が設けられており、前記固体撮像素子を収容するケースと、
前記固体撮像素子と前記ケースの内壁面との間に熱的接触を保つ状態で配置されており、前記固体撮像素子において発生する熱を吸収し前記ケースに向けて伝達する熱伝導部材と、
前記ケースの前記内壁面と外壁面との間の内部領域に形成されており、前記ケースの外部に存在する流体を吸入する吸入口と該流体を前記ケースの外部に排出する排出口とを有し、前記ケースと前記流体との間で熱交換をさせることにより前記ケースを冷却するための少なくとも一本の流体流路と、
前記少なくとも一本の流体流路内の前記流体を前記吸入口から前記排出口に向けて移動させるための流体流を発生させるファンと、
を有することを特徴とする固体撮像装置。
【請求項２】
前記ケースの前記外壁面には放熱フィンが形成されていることを特徴とする請求項１に記載の固体撮像装置。
【請求項３】
前記ファンは前記少なくとも一本の流体流路の前記排出口の近傍に配置されていることを特徴とする請求項１又は２に記載の固体撮像装置。
【請求項４】
前記ファンが接続されており外部に開放された第１の接続口と、前記少なくとも一本の流体流路の前記排出口毎に設けられており前記排出口に接続される第２の接続口と、を有する内部通路が形成されたマニホールド部が更に設けられており、
前記排出口から排出される前記流体は前記マニホールド部の前記内部通路を介して外部に排出されることを特徴とする請求項３に記載の固体撮像装置。
【請求項５】
前記ケースは、略直方体状の形状を有しており、前記開口部が設けられた前面パネルと、前記前面パネルに対向配置される背面パネルと、前記固体撮像素子を載置する底面パネルと、前記底面パネルに対向配置される上面パネルと、互いに対向する２つの側面パネルとから構成されており、
前記前面パネルと前記背面パネルとの間には、前記ケース内を前記前面パネル側の第１領域と前記背面パネル側の第２領域とに２分する仕切りパネルが配置され、前記第２領域を前記内部通路とする前記マニホールド部が画成されており、
前記第１領域には、前記固体撮像素子と前記熱伝導部材とが配置されており、
前記側面パネルの少なくとも一方には、前記前面パネル側から前記背面パネル側に向けてのびる前記流体流路が少なくとも１本形成されており、
前記流体流路の吸入口は、前記側面パネルの前記前面パネル側の外壁面に設けられており、
前記流体流路の排出口は、前記側面パネルの前記第２領域側の内壁面に設けられており、
前記背面パネルには、前記マニホールド部の前記第１の接続口が設けられており、該第１の接続口の前記第２領域側には前記ファンが配置されていることを特徴とする請求項４に記載の固体撮像装置。
【請求項６】
前記上面パネルには、前記前面パネル側から前記背面パネル側に向けてのびる前記流体流路が少なくとも１本形成されており、
前記流体流路の吸入口は、前記上面パネルの前記前面パネル側の外壁面に設けられており、
前記流体流路の排出口は、前記側面パネルの前記第２領域側の内壁面に設けられていることを特徴とする請求項５に記載の固体撮像装置。
【請求項７】
前記ケースは、ケース本体と該ケース本体に脱着可能に装着されるケースカバーとから構成されており、
前記ケース本体は、前記前面パネルと、前記背面パネルと、前記底面パネルとを有しており、
前記ケースカバーは、２つの前記側面パネルと、前記底面パネルに対向配置される上面パネルとが一体化されて構成されていることを特徴とする請求項５又は６に記載の固体撮像装置。
【請求項８】
前記ケースの前記開口部から採光した光を受光する受光面を有しており、該受光面から入射する光を複数の色成分の光に分解するとともに前記各色成分の光ごとに設けられた光出射面から出射する色分解プリズムが更に備えられており、
前記各光出射面から出射される前記各色成分の光を光電変換するための前記固体撮像素子が前記各光出射面毎に設けられていることを特徴とする請求項１〜７の何れかに記載の固体撮像装置。
【請求項９】
冷却素子が前記固体撮像素子と前記熱伝導部材との間に更に配置されていることを特徴とする請求項１〜８の何れかに記載の固体撮像装置。
【請求項１０】
前記ケース内の水蒸気の電気化学的な酸化分解反応を進行させる電気分解セルと、
前記冷却素子の出力を制御して前記固体撮像素子の作動温度を外部環境温度以下の所定温度に調節し、かつ、前記ケース内の水蒸気圧が前記作動温度における飽和水蒸気圧以下の所定値となる条件を満たすように、前記固体撮像素子、前記冷却素子及び前記電気分解セルの起動と停止のタイミングをそれぞれ独立に制御する制御装置と、
を有することを特徴とする請求項９に記載の固体撮像装置。
【請求項１１】
前記制御装置は、停止時において、前記電気分解セルよりも前記固体撮像素子及び前記冷却素子を先に停止させ、次いで前記条件が満たされる所定時間経過後に前記電気分解セルを停止させることを特徴とする請求項１０に記載の固体撮像装置。
【請求項１２】
前記ケース内の前記水蒸気圧を検知する湿度センサが更に設けられており、
前記制御装置は、前記湿度センサにより検知される前記水蒸気圧に基づいて、前記固体撮像素子、前記冷却素子及び前記電気分解セルの起動と停止のタイミングをそれぞれ独立に制御することを特徴とする請求項１０又は１１に記載の固体撮像装置。
【請求項１３】
前記固体撮像素子の温度を検知する温度センサが更に設けられており、
前記制御装置は、前記温度センサにより検知される前記固体撮像素子の温度に基づいて、前記固体撮像素子、前記冷却素子及び前記電気分解セルの起動と停止のタイミングをそれぞれ独立に制御するとともに、起動後の前記冷却素子の出力を制御することを特徴とする請求項１０〜１２の何れかに記載の固体撮像装置。
【請求項１４】
前記電気分解セルは、ガス拡散電極であるアノードと、ガス拡散電極であるカソードと、前記アノードと前記カソードとの間に配置された高分子電解質膜と、前記アノードと前記カソードとの間に所定の電圧を印加する電圧印加部と、を有していることを特徴とする請求項１０〜１３の何れかに記載の固体撮像装置。
【請求項１５】
前記仕切りパネルが前記電気分解セルであることを特徴とする請求項１０〜１４の何れかに記載の固体撮像装置。
【手続補正２】
【補正対象書類名】明細書
【補正対象項目名】００２３
【補正方法】変更
【補正の内容】
【００２３】
更に、本発明の固体撮像装置においては、ケースは、略直方体状の形状を有しており、開口部が設けられた前面パネルと、前面パネルに対向配置される背面パネルと、固体撮像素子を載置する底面パネルと、底面パネルに対向配置される上面パネルと、互いに対向する２つの側面パネルとから構成されており、前面パネルと背面パネルとの間には、ケース内を前面パネル側の第１領域と背面パネル側の第２領域とに２分する仕切りパネルが配置され、第２領域を内部通路とするマニホールド部が画成されており、第１領域には、固体撮像素子と熱伝導部材とが配置されており、側面パネルの少なくとも一方には、前面パネル側から背面パネル側に向けてのびる流体流路が少なくとも１本形成されており、流体流路の吸入口は、側面パネルの前面パネル側の外壁面に設けられており、流体流路の排出口は、側面パネルの第２領域側の内壁面に設けられており、背面パネルには、マニホールド部の第１の接続口が設けられており、該第１の接続口の第２領域側にはファンが配置されていることを特徴としていてもよい。